(57)【要約】【構成】所要数の透孔を有する上部支持板及び下部支持板と、支持部材とをを備え、これらの上部支持板と下部支持板と支持部材とを純に所定間隔を介して略平行に配置するとともにこれらの上部支持板と下部支持板と支持部材とを介在部材によって連結した生花固定具である。【効果】水張容器に設置して、上部支持板の透孔及び下部支持板の透孔に上方から生花を単に貫通させ、生花の下端部を水張容器に達するようにするだけで、支持部材の作用によって、生花が水張容器から外れることのない安定した状態の花飾りを維持することができる。この場合、上部支持板の透孔及び下部支持板の透孔を適宜関係で選択することにより、花飾りの形態を自由に変形できる。この生花固定具を使用すれば、葉類やつるのもの等の柔軟な生花類でも水張容器に容易に固定することができる。【選択図】          図１
2004162355.tif 000002
【特許請求の範囲】
【請求項１】
所要数の透孔を有する上部支持板及び下部支持板と、支持部材とをを備え、これらの上部支持板と下部支持板と支持部材とを純に所定間隔を介して略平行に配置するとともにこれらの上部支持板と下部支持板と支持部材とを介在部材によって連結したことを特徴とする生花固定具。
【請求項２】
請求項１の生花固定具において、前記透孔を網状孔とし、この網状孔を構成する網紐をテーパ状に配置したことを特徴とする生花固定具。
【請求項３】
請求項１又は請求項２の生花固定具において、前記上部支持板及び下部支持板の透孔を広狭可能としたことを特徴とする生花固定具。
【請求項４】
請求項３の生花固定具において、前記上部支持板及び下部支持板を平織りの網体から構成したことを特徴とする生花固定具。
【請求項５】
請求項３の生花固定具において、前記上部支持板及び下部支持板を伸縮可能な素材で構成したことを特徴とする生花固定具。
【請求項６】
請求項１の生花固定具において、前記下部支持板を前記介在部材に沿って上下動可能としたことを特徴とする生花固定具。
【請求項７】
請求項１の生花固定具において、使用時に水没する部分が防錆機能を有することを特徴とする生花固定具。
【請求項８】
請求項１の生花固定具において、使用時に水没する部分が防水機能を有することを特徴とする生花固定具。
【請求項９】
請求項１の生花固定具において、前記上部支持板を上方に突出状にするとともに前記下部支持板を下方に突出状にすることを特徴とする生花固定具。
【請求項１０】
請求項１の生花固定具において、前記上部支持板に対して前記下部支持板を傾斜状態又は前記下部支持板に対して前記上部支持板を傾斜状態に配置することを特徴とする生花固定具。
【発明の詳細な説明】
【０００１】
【産業上の利用分野】
この発明は生花固定具に関し、生花を固定して花飾りをつくる場合に水張容器に設置して使用される。
【０００２】
【従来の技術】
従来において、生花を鉢等に固定して花飾りをつくる場合、鉢等（水張容器）の中に吸水ホームを設置し、この吸水ホームに水を浸した後生花を適宜刺し込んでいた。
７１９３号）  。
【０００３】
【特許文献１】特開昭５５−１０３８１５号公報
【特許文献２】特開平０５−３２９０４５号公報
【特許文献３】特開平０６−２２５８２８号公報
【特許文献４】特開平０８−１８７１５０号公報
【特許文献５】特開平０８−２０５９７５号公報
【特許文献６】特表平０９−５０４７０９号公報
【０００４】
【発明が解決しようとする課題】
しかしながら、かかる従来の方法にあっては、吸水ホームに生花を差し込んで花飾りを作っていたため、葉類やつるのもの等の柔軟な生花類は設置しにくく、また、差し込んだ後が割れ目等として残るため刺し直しがしにくく、また、刺し直しをした場合、同じ形態を維持しにくいという不都合を有した。また、振動した際に刺し込んだ生花が緩んで抜けやすくこのため花飾りを搬送しにくいという不都合を有した。さらに、その吸水ホームは使い捨てであったため、生花を固定する場合には常に別途に用意しなければならず、その準備、更に、後片付けや廃棄処分にも手間がかかるという不都合を有した。
【０００５】
この発明の課題はこれらの不都合を解消することである。
【０００６】
【課題を解決するための手段】
上記課題を達成するために、この発明に係る生花固定具においては、
所要数の透孔を有する上部支持板及び下部支持板と、支持部材とをを備え、これらの上部支持板と下部支持板と支持部材とを純に所定間隔を介して略平行に配置するとともにこれらの上部支持板と下部支持板と支持部材とを介在部材によって連結したものであるため、水張容器に設置して、上部支持板の透孔及び下部支持板の透孔に上方から生花を単に貫通させ、生花の下端部を前記水張容器に達するようにするだけで、前記支持部材の作用によって、生花が水張容器から生花が外れることのない安定した状態を花飾りを維持することができる。この場合、上部支持板の透孔及び下部支持板の透孔を適宜関係で選択することにより、花飾りの形態を自由に変形できる。
【０００７】
なお、前記透孔を網状孔とし、この網状孔を構成する網紐をテーパ状に配置すれば、茎径の異なる生花を安定良く支持することができる。
【０００８】
なお、前記上部支持板と前記下部支持板との透孔を広狭可能とすれば、この透孔の広狭を生花の茎径に基づいて調節することにより、茎径の異なる生花を安定良く支持することができる。
【０００９】
この場合、前記上部支持板および下部支持板とを平織りの網体から構成すれば、網体の網目（透孔に相当する）の広狭を容易に調節できる。
【００１０】
また、前記上部支持板及び下部支持板を伸縮可能な素材で構成すれば、例え、網体の網紐が固定式のものであっても、網体の網目（透孔に相当する）の広狭を容易に調節できる。
【００１１】
また、前記下部支持板を前記介在部材に沿って上下動可能にすれば、下部支持板を上下動することによって、前記上部支持板の透孔および前記下部支持板の透孔に斜めに嵌挿した生花（横指しの生花）の傾斜角度を調節することができる。
【００１２】
また、使用時に水没する部分が防錆機能を有すれば、当該生花固定具の耐久性は向上するとともに錆による悪影響を生花に与えることがない。
【００１３】
また、使用時に水没する部分が防水機能を有すれば、これらの部分が、生花の延命効果をもたらす薬品の影響を受けないものである。
【００１４】
また、前記上部支持板を上方に突出状にするとともに前記下部支持板を下方に突出状にすれば、対面する前記上部支持板の透孔と前記下部支持板の透孔とを略平行状態に配置することができるため、これらの透孔の寸法を略正確に使用することができ、この結果、生花の傾斜の角度付けが容易にできるとともにその傾斜の範囲を拡大でき、ひいては、花飾り作成の自由度を広げることができる。
【００１５】
また、前記上部支持板に対して前記下部支持板を傾斜状態又は前記下部支持板に対して前記上部支持板を傾斜状態に配置すれば、透孔への生花の挿入が容易になるとともに生花を安定良く支持でき、ひいては、花飾りの自由度を拡張することができるものである。
【００１６】
【実施例】
図１はこの発明に係る生花固定具の断面図、図２は図１における平面図、図３は上部支持板の第二実施例の平面略図、図４はこの発明に係る生花固定具の第三実施例の断面図、図５は同第四実施例の断面図、図６は同第四実施例の断面図である。
【００１７】
図１において、Ｃは鉢等の水張容器であり、水Ｗが収容されている。
Ａは生花固定具であり、前記水張容器Ｃに設置されている。
【００１８】
５０は生花固定具Ａの支持リング（この発明の「支持部材」に相当する）であり、前記水張容器Ｃの底面に載置されている。この支持リング５０は前記生花固定具Ａを前記水張容器Ｃの底面に安定良く設置するためのものである。
【００１９】
３０，３０，…は介在棒（この発明の「介在部材」に相当する）であり、前記支持リング５０の外周面に固着され、略垂直方向に延びている。
【００２０】
１０は下部支持板であり、前記介在棒３０，３０，…に嵌挿リング１１，１１，…を介して進退可能且つ適宜位置で停止可能に嵌挿されている。この下部支持板１０は環状枠１２に網体１３を張設したものである。この網体１３は網紐１４，１４，…を平織りしたものであるため、網紐１４，１４，…をずらすことによって容易にその網目を広くしたり狭くしたりすることかできる。このため、作業者が手作業によってその網目を調節することにより、茎径のことなる後記生花Ｆを略隙間無く嵌挿させることができる。
【００２１】
なお、この下部支持板１０は水平のみでなく、斜め状態に配置して、後記生花Ｆの花飾りの形態を変化に富んだものにすることもできる。
また、この下部支持板１０を前記介在棒３０，３０，…に対して所定位置で固定する固定式にすることもできる。
【００２２】
次に、２０は上部支持板であり、前記介在棒３０，３０，…の略上端部に固着されている。この上部支持板２０は略水平状態に配置され、前記下部支持板１０同様、環状枠２１に網体２３が張設されたものである。なお、網体２３の構造は前記下部支持板１０の場合と同様であり、２４はその網紐を示している。
【００２３】
前記下部支持板１０および前記上部支持板２０における環状枠１２，２２の素材又は太さ若しくは網体１３，２３  のは網紐１４，２４  の素材又は太さを変えることによって、強度を確保したり（耐久性の向上）、作業のやり易さを確保することができる。
【００２４】
前記下部支持板１０と前記上部支持板２０との間隔は一定ではなく、作成する花飾りや後記生花Ｆの形状等によって変化させる。また、前記下部支持板１０と前記上部支持板２０とは平行のみならず、角度を付けることにより、花飾りの作成を容易にすることができる。また、前記支持リング（支持部材）５０と前記下部支持板１０と前記上部支持板２０とを固定する介在棒（介在部材）３０については、作成する花飾りの仕様によって、その材質、形状、角度、強度、太さ等を自由に変化させることにより対応し、花飾りの作成を容易にする。
【００２５】
また、透孔（網目）１５，２５  は色々な形状に変化させるたとにより、後記生花Ｆの種類に対応させることができるとともに名札の棒等にも対応できる。
【００２６】
また、図３に示すように、前記透孔１５，２５  を網状孔とし、この網状孔を構成する網紐１４，２４  をテーパ状に配置すれば、茎径の異なる後記生花Ｆを安定良く支持することができる。なお、このテーパ状の透孔は前記上部支持板２０のみについて設けることもできる。
【００２７】
前記上部支持板２０および下部支持板１０とを平織りの網体から構成すれば、網紐１４，２４，…をずらすことによって容易にその網目を広くしたり狭くしたりすることかできる。茎径のことなる後記生花Ｆを略隙間無く嵌挿させることができる。
【００２８】
また、前記上部支持板２０及び下部支持板１０を塑性可能な素材（金属等の塑性材）又は伸縮可能な素材（ゴム材等の弾性材）で構成すれば、例え、網体の網２４，１４  紐が固定式のものであっても、これを上下左右に曲げたり、上下左右に伸縮させたりして、その網目の形状を調節することにより様々な茎径の後記生花Ｆや枝等に対応することができる。
【００２９】
Ｆは生花であり、その茎等を前記上部支持板２０の網目（この発明の「透孔」に相当する）２５および前記下部支持板１０の網目（この発明の「透孔」に相当する）１５を貫通させ、その下端部は前記水張容器Ｃの底面に達している。
【００３０】
なお、前記下部支持板１０を上方に位置させれば、斜めに配置された生花Ｆの傾斜角度は小さくなり、下方に位置させれば同傾斜角度は大きくなる。この原理を利用することによって、横指しの（傾斜状態の）生花が横方向に広がり、本数はそのままの状態で花飾りをより一層大きく見せることができる。
【００３１】
このように、生花Ｆを前記上部支持板２０の網目２５および前記下部支持板１０の網目１５に設置することによって花飾りＰを製造することができる。
【００３２】
なお、３１は把手であり、前記介在棒３０の頂部に一体形成されている。この把手３１は生花固定具Ａを移動させる場合に使用される。
【００３３】
図４は第三実施例であり、前記上部支持板２０を上方に突出したドーム状（この発明の「上方突出状」に相当する）にするとともに前記下部支持板１０を下方に突出したドーム状（この発明の「下方突出状」に相当する）にしたものである。このように構成すると、対面する前記上部支持板２０の透孔２５と前記下部支持板１０の透孔１５とを略平行状態に配置することになるため、これらの透孔１５，２５  の寸法を略正確に使用することができ、この結果、生花Ｆの傾斜の角度付けを容易にできるとともにその傾斜の範囲を拡大でき、花飾り作成の自由度を広げることができるものである。
【００３４】
さらに、前記上部支持板２０および前記下部支持板１０をこのように形成することにより、花飾り作成の形態をイメージさせ、その作成の容易に進めることができる。
【００３５】
さらに、このように構成される生花固定具Ａを使用すれば、生花Ｆを斜めに挿した場合、その角度は平らな仕様のものよりも１０度以上傾斜した状態で挿すことができる。
【００３６】
さらに、生花Ｆの斜め挿しする場合、前記上部支持板２０および前記下部支持板１０に対して略垂直に配置することができるため、平らな仕様のものにおける垂直挿しと同一条件になり、生花Ｆは折れにくく、作業がしやすいものである（平らな仕様のもので斜め挿しをすると生花Ｆは折れやすくなる）。
【００３７】
なお、このドーム状の代わりに、単なる湾曲状、バネ状（渦巻き状）、円錐筒状などの立体的な形状である「突出状」のものは全てこの「上方突出状」および「下方突出状」に含まれ、各々の形状に基づいて、花飾りの複雑な形態にも対応することができる。
【００３８】
図５は第四実施例であり、前記上部支持板２０対して前記下部支持板１０を傾斜状態に配置したものである。このように構成すると、透孔（網目）１５，２５  への生花Ｆの挿入が容易になるとともに生花Ｆを安定良く支持でき、ひいては、花飾りの自由度を拡張することができる。
【００３９】
図６は第五実施例であり、前記下部支持板１０に対して前記上部支持板２０を傾斜状態に配置したものであり、第四実施例の技術的効果に加えて、特に、生花Ｆの斜め挿しがしやすいものである。
【００４０】
なお、前記上部支持板２０および前記下部支持板１０は金網以外の網板によって製造することもできるし、パンチングメタル材によって製造することもできる。この場合、パンチングメタル材の透孔がこの発明の「透孔」に相当する。
【００４１】
上記した生花固定具Ａには防水・防錆機能を付加することが望ましい。例えば、ビニール製、ゴム製、プラスチック製等にしたり、又は金属製のものにこれら（ビニール、ゴム、プラスチック）のコーティングをしたり、更に、金属製のものに防水・防錆塗装（電気圧着塗装）をしたりして、防水・防錆機能を付加すれば、当該生花固定具Ａの耐久性は向上するとともに錆による悪影響を生花Ｆに与えることがないため、生花Ｆの寿命を延ばすことができ、また、当該生花固定具Ａが生花Ｆの延命効果をもたらす薬品の影響を受けないため、この点からもその耐久性は向上する。
【００４２】
上記した本生花固定具Ａは生花専用であり、構造上、生花Ｆを一本でも、前記上部支持板２０および下部支持板１０との二段のそれぞれの透孔（網目）１５，２５  に生花Ｆの茎を一定の角度で、また、自由な角度で固定させることができることを主目的とし、また、この目的を達成できるものである。
【００４３】
（１）．この網目（透孔）１５，２５  については、大まかなものでは生花Ｆを固定できないため、生花Ｆの茎に合う大きさを前提とし花茎よりいささか大きい程度にすることで専用とする。
【００４４】
（２）．この固定具Ａはあくまでも上部支持板２０と下部支持板１０の網目（透孔）１５，２５  で生花Ｆを固定することを目的とする。角度（生花Ｆの固定角度）は自由であるが上下段の網目（透孔）１５，２５  を貫通させる手法は同一である。
【００４５】
（３）．上部支持板２０と下部支持板１０の網目（透孔）１５，２５  を貫通させた一対の生花Ｆの茎と下が下部支持板１０の面上に形成する隙間（略三角形上の隙間）Ｂ（図１を参照のこと）を利用して生花Ｆを刺し込み固定することもできる。そのための多孔式であり網目（透孔）が多いほど自由度は増加する。
【００４６】
（４）．上部支持板２０と下部支持板１０の網目（透孔）１５，２５  は「茎は通りやすく葉はとおりにくい大きさ」とし、上部支持板２０の網目（透孔）２５で葉が引っ掛かることにより茎の短いものでも一定の高さに挿すことができ、即ち、背丈を揃えて固定することができる。
【００４７】
（５）．この固定具Ａは、上部支持板２０を上方に突出状（例えば、湾曲状）にするとともに下部支持板１０を下方に突出状（例えば、湾曲状）にすることにより、上記したように、生花Ｆの花飾りの形態の自由度を増すことができる。
【００４８】
（６）．この固定具Ａは、水張容器Ｃの形状にあわせて、その形状を変えることができる。その水平断面形状は、丸、四角、三角、菱形等いかなる形状にも対応することができる。
【００４９】
また、上記した本生花固定具Ａは、上記したように各段に特徴があり、最下段の支持部材５０（図１を参照のこと）についても同様である。
【００５０】
（１）．この支持部材５０は、生花Ｆを押し挿し形状を成すときに生花Ｆの重みによって、生花固定具Ａが水張容器Ｃより傾いたり、脱落したりしないように支持するためのものである。
【００５１】
（２）．この支持部材５０は、上部支持板２０と下部支持板１０の網目（透孔）１５，２５  の機能を最大限生かすことのできるように、水張容器Ｃと本生花固定具Ａとを簡易的に接合、安定させる機能を有している。
【００５２】
（３）．この支持部材５０を、更に下方に延ばして上部支持板２０を水張容器Ｃの水面から浮かせるようにすれば（突出するようにすれば）、本生花固定具Ａの脱着を容易にすることができる。
【００５３】
（４）．この支持部材５０の取付位置によって、上部支持板２０における水張容器Ｃの底面からの高さを調節することができるため、様々な用途に対応することができ、本生花固定具Ａの使用範囲は拡大する。
【００５４】
【発明の効果】
この発明に係る生花固定具は、所要数の透孔を有する上部支持板及び下部支持板と、支持部材とをを備え、これらの上部支持板と下部支持板と支持部材とを純に所定間隔を介して略平行に配置するとともにこれらの上部支持板と下部支持板と支持部材とを介在部材によって連結したものであるため、
水張容器に設置して、上部支持板の透孔及び下部支持板の透孔に上方から生花を単に貫通させ、生花の下端部を前記水張容器に達するようにするだけで、前記支持部材の作用によって、生花が水張容器から外れることのない安定した状態を花飾りを維持することができる。この場合、上部支持板の透孔及び下部支持板の透孔を適宜関係で選択することにより、花飾りの形態を自由に変形できる。
【００５５】
よって、この生花固定具を使用すれば、葉類やつるのもの等の柔軟な生花類でも水張容器に容易に固定することができ、また、透孔に貫通させることによって固定するため、従来と異なり刺しなおしが可能となるとともに同じ形態に刺し直しをすることもできる。また、振動した際にも生花が透孔から抜けたり、生花が水張容器から外れることのないため安定した状態で花飾りを搬送することができる。更に、この生花固定具は半永久的に使用することができるため、従来のように、吸水ホームを別途に用意したり、後片付けや廃棄処分をする必要がない結果、生花の固定作業の作業能率を極めて向上させることができる。
【００５６】
なお、前記透孔を網状孔とし、この網状孔を構成する網紐をテーパ状に配置すれば、茎径の異なる生花を安定良く支持することができる。
【００５７】
なお、前記上部支持板と前記下部支持板との透孔を広狭可能とすれば、この透孔の広狭を生花の茎径に基づいて調節することにより、茎径の異なる生花を安定良く支持することができる。
【００５８】
この場合、前記上部支持板および下部支持板とを平織りの網体から構成すれば、網体の網目（透孔に相当する）の広狭を容易に調節できる。
【００５９】
また、前記上部支持板及び下部支持板を伸縮可能な素材で構成すれば、例え、網体の網紐が固定式のものであっても、網体の網目（透孔に相当する）の広狭を容易に調節できる。
【００６０】
また、前記下部支持板を前記介在部材に沿って上下動可能にすれば、下部支持板を上下動することによって、前記上部支持板の透孔および前記下部支持板の透孔に斜めに嵌挿した生花（横指しの生花）の傾斜角度を調節することができる。よって、下部支持板を上方向に移動させることにより、横指しの生花が横方向に広がり、本数はそのままでより一層大きく見せることができる。
【００６１】
また、使用時に水没する部分が防錆機能を有すれば、当該生花固定具の耐久性は向上するとともに錆による悪影響を生花に与えることがないため、生花の寿命を延ばすことができる。
【００６２】
また、使用時に水没する部分が防水機能を有すれば、これらの部分が、生花の延命効果をもたらす薬品の影響を受けないため、当該生花固定具の耐久性は向上する。
【００６３】
また、前記上部支持板を上方に突出した湾曲状にするとともに前記下部支持板を下方に突出した湾曲状にすれば、対面する前記上部支持板の透孔と前記下部支持板の透孔とを略平行状態に配置することができるため、これらの透孔の寸法を略正確に使用することができ、この結果、生花の傾斜の角度付けが容易にできるとともにその傾斜の範囲を拡大でき、ひいては、花飾り作成の自由度を広げることができる。
【００６４】
また、前記上部支持板に対して前記下部支持板を傾斜状態又は前記下部支持板に対して前記上部支持板を傾斜状態に配置すれば、透孔への生花の挿入が容易になるとともに生花を安定良く支持でき、ひいては、花飾りの自由度を拡張することができるものである。
【００６５】
その他の本生花固定具の利点は以下のとおりである。
【００６６】
（１）．この本生花固定具を使用して作成した花飾りは、型崩れがしないため、他の水張容器への移しかえが容易にできる。このため、他の綺麗な水張容器への移しかえや、水張容器を間違いえ場合、水漏れがあった場合に迅速に対応することができる。
【００６７】
（２）．同じ理由で、水張容器の入れ換え時に、花飾りにおける水中に没していた部分を水洗浄することができるため、水腐り、茎腐り、悪臭の予防をすることができ、ひいては、生花の花持ちを向上させることができる。
【００６８】
（３）．この本生花固定具は、水張容器への入れ換えができるため、延命剤等も新規の水とともに洗浄済みの水張容器に再投入できる。この点からも、生花の花の持ちを向上させることができる。
【図面の簡単な説明】
【図１】【実施例】この発明に係る生花固定具の断面図である。
【図２】図１における平面図である。
【図３】上部支持板の第二実施例の平面略図である。
【図４】この発明に係る生花固定具の第三実施例の断面図である。
【図５】同第四実施例の断面図である。
【図６】同第四実施例の断面図である。
【符号の説明】
１４  …  網目（透孔）
２４  …  網目（透孔）
２０  …  上部支持板
１０  …  下部支持板
３０  …  介在棒（介在部材）
Ａ  …  生花固定具
５０  …  支持リング（支持部材）
【図１】
2004162355.tif 000003
【図２】
2004162355.tif 000004
【図３】
2004162355.tif 000005
【図４】
2004162355.tif 000006
【図５】
2004162355.tif 000007
【図６】
2004162355.tif 000008